(57)【要約】【課題】簡単な構造で放熱機能を損なわず内部機器からの音を拡散させると共に、通線機能を有するキャビネットラック１を提供することを目的としている。【解決手段】本発明に係るキャにネットラック１は、第一のパネル３ａと第二のパネル３ｂとはそれぞれ上下どちらにも取り付け可能であると共に、第一のパネル３ａを取り外した場合には通線孔５として使用可能であり、第一のパネル３ａには放熱孔５を角度を付けて設け、放熱機能を損なわず内部機器からの音を拡散させると共に、通線機能をも有することを特徴とする。【選択図】図１
2008306056.tif 000002
【特許請求の範囲】
【請求項１】
四方側面をパネルで施蓋して構成される本体の、前記パネルはそれぞれに脱着可能に第一のパネルと第二のパネルとに分割されて成る各種機器を収納するキャビネットラックであって、前記第一のパネルと第二のパネルとはそれぞれ上下どちらにも取り付け可能であると共に、前記第一のパネルを取り外した場合には通線孔として使用可能であり、前記第一のパネルには放熱孔を角度を付けて設けたことを特徴とするキャビネットラック。
【発明の詳細な説明】
【技術分野】
【０００１】
本発明は、四方側面をパネルで施蓋して構成される本体の、パネルはそれぞれに脱着可能に第一のパネルと第二のパネルとに分割されて成る各種機器を収納するキャビネットラックに関するものである。
【背景技術】
【０００２】
キャビネットラック３１は、本体３２への入出線のため入出線孔を設けるために、本体３２を構成するパネル３３を分割してそれぞれに脱着可能としている。本体３２へ電線等の通線を行う場合には、分割された下側のパネル３３を取り外して開口していた。
【０００３】
また、通線しない場合には、キャビネットラック３１内部の温度上昇を考慮して、パネル３３にスリット加工やパンチング加工を施し吸気孔３４を設け、通気を促していた。
【非特許文献１】”Ｒａｃｋ  ｓｅｒｉｅｓ  ｓｉｌｅｎｔ  ｓｔｙｌｅ（サイレントシリーズ）”[online]、２００４年８月２日、ヤマト通信工業株式会社、［平成１９年５月２５日］、インターネット＜ＵＲＬ：http://www.yamato-t.co.jp/yamato02-7.html＞
【非特許文献２】ＲＡＣＫ  ＳＥＲＩＥＳ  ２００４  日東ラックシリーズ  日東工業株式会社  平成１６年３月発行
【発明の開示】
【発明が解決しようとする課題】
【０００４】
しかしながら、上記従来技術におけるキャビネットラックでは、入出線孔として設けたパネルは下側に設けられているので、入出線は必ず下側から行わなくてはいけなかった。
【０００５】
下側パネルに穴加工を施したものを用いる場合、下側という位置のため吸気孔としてしか使用できず、放熱効果が薄かった。
【課題を解決するための手段】
【０００６】
そこで本発明は、簡単な構造で放熱機能を損なわず内部機器からの音を拡散させると共に、通線機能を有するキャビネットラックを提供することを目的とし、その構造は、第一のパネルと第二のパネルとはそれぞれ上下どちらにも取り付け可能であると共に、第一のパネルを取り外した場合には通線孔として使用可能であり、第一のパネルには放熱孔を角度を付けて設けたことを特徴とする。
【発明の効果】
【０００７】
本発明に係るキャビネットラックは、第一のパネルと第二のパネルとはそれぞれ上下どちらにも取り付け可能であると共に、第一のパネルを取り外した場合には通線孔として使用可能であり、第一のパネルには放熱孔を角度を付けて設けたため、本体の上部、下部どちら側にも通線孔を設けることができ、配線作業がしやすくなる。また、放熱用の第一のパネルも上部、下部どちら側にも取り付けが可能であるので、吸気だけでなく、排気用としても用いることができる。また、放熱孔は角度を付けて設けることで、キャビネットラック内部で発生した音を外側の人がいない方向へ逃がすことができる。
【発明を実施するための最良の形態】
【０００８】
本発明に係るキャビネットラックの実施例を図１〜図５の添付図面に基いて説明する。
【０００９】
近年の社会の情報化に伴って、通信機器や電子機器が多用され、キャビネットラック１に多く搭載されている。そのため、キャビネットラック１の内部の温度上昇や、内部からの音の発生が問題となっている。
【００１０】
キャビネットラック１は本体２の四方側面をパネル３で被覆して構成される。パネル３は、第一のパネル３ａと第二のパネル３ｂに分割して、それぞれを脱着可能とする。図２においては、本体の側面に、下側に小さい第一のパネル３ａを、上側に機器を被覆するための大きい第二のパネル３ｂを取り付け、第一のパネル３ａと第二のパネル３ｂとの間には、それぞれを固定するための仕切り板４を取り付けている。第一のパネル３ａと第二のパネル３ｂは入れ替えて使用可能であり、入れ替えた状態を図４に示す。
【００１１】
キャビネットラック１外部から内部へ通線する場合には、第一のパネル３ａを取り外し、本体に開口（図示せず）を設ける。開口も、本体の上部、下部のどちらでも設けることができるので、機器の配置等により適宜変更することができる。
【００１２】
通線のための開口が不要でその開口を塞ぐ場合には、キャビネットラック１内部の温度上昇を考慮して、第一のパネル３ａには、スリット加工やパンチング加工により放熱孔５を設ける。本体２の天井部６にファン（図示せず）を取り付け、強制換気を行う場合、第一のパネル３ａを下部に設けると、吸気孔として用いることができる。また、床下空調で、本体２の底面部７より冷気を吸気する場合には、第一のパネル３ａを上部に設けると、排気孔とし用いることができる。
【００１３】
第一のパネル３ａの放熱孔５を設けた部分は、傾斜を付けて設ける。そして、第一のパネル３ａを本体２の下部に取り付けるときには、上側が前面に出るよう傾斜させ、排出物が下向きに排出されるようにする。また、第一のパネル３ａを本体２の上部に取り付けるときには、下部に取り付けるのとは反転させて、下側が前面に出るよう傾斜させ、排出物が上向きに排出されるようにする。内部機器で発生した音を、第一のパネル３ａが本体２の下部に取り付けられているときには、床方向へ、第一のパネル３ａが本体２の上部に取り付けられているときには、天井方向へ逃がすようにする。床や天井等、人のいない方へ音を逃がすことで騒音を抑える。
【００１４】
本発明に係るキャビネットラックは、上記構成のものに限定されるものではなく、第二のパネルは回動動作により開閉可能である扉であってもよく、本発明の趣旨を逸脱しない範囲において適宜変更可能である。
【図面の簡単な説明】
【００１５】
【図１】キャビネットラックを示す分解斜視図である。
【図２】キャビネットラックにおいて第一のパネルを下部に設けた状態を示す説明図である。
【図３】図２におけるキャビネットラックのＡ−Ａ断面図である。
【図４】キャビネットラックにおいて第一のパネルを上部に設けた状態を示す説明図である。
【図５】図４におけるキャビネットラックのＢ−Ｂ断面図である。
【図６】従来のキャビネットラックを示す説明図である。
【符号の説明】
【００１６】
１    キャビネットラック
２    本体
３    パネル
３ａ  第一のパネル
３ｂ  第二のパネル
４    仕切り板
５    放熱孔
６    天井部
７    底面部
【図１】
2008306056.tif 000003
【図２】
2008306056.tif 000004
【図３】
2008306056.tif 000005
【図４】
2008306056.tif 000006
【図５】
2008306056.tif 000007
【図６】
2008306056.tif 000008